【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
通話中の第１の通信デバイスに近接する第２の通信デバイスを検出する手段と；
前記通話を実質的に遮断することなく前記第２のデバイスへ転送する手段と；
を具えることを特徴とするシステム。
【請求項２】
請求項１に記載のシステムにおいて、前記通話中の第１の通信デバイスに近接する第２の通信デバイスを検出する手段が更に：前記第１及び第２の通信デバイス間にブルートゥース通信を適用する手段を具えることを特徴とするシステム。
【請求項３】
請求項２に記載のシステムにおいて、前記第２の通信デバイスが更に：デスクトップコンピュータ、ラップトップコンピュータ、テレビジョン、または無線電話ハンドセットを具えることを特徴とするシステム。
【請求項４】
請求項１に記載のシステムにおいて、前記通話中の第１の通信デバイスに近接する第２の通信デバイスを検出する手段が更に：前記第２のデバイスが通信している無線信号を検出する手段を具えることを特徴とするシステム。
【請求項５】
請求項４に記載のシステムにおいて、前記第２のデバイスによって通信している無線信号を検出する手段が更に：赤外線信号を検出する手段を具えることを特徴とするシステム。
【請求項６】
請求項１に記載のシステムにおいて、前記通話中の第１の通信デバイスに近接する第２の通信デバイスを検出する手段が更に：一またはそれ以上の画像から前記第２の通信デバイスを同定する手段を具えることを特徴とするシステム。
【請求項７】
請求項６に記載のシステムにおいて、前記第２の通信デバイスが更に：デスクトップコンピュータ、ラップトップコンピュータ、テレビジョン、又は無線電話ハンドセットを具えることを特徴とするシステム。
【請求項８】
請求項１に記載のシステムにおいて、前記通話が前記第１のデバイスと進行中である間に、前記通話を実質的に遮断されずに前記第２のデバイスへ転送する前記手段が更に：前記通話の情報を前記第２のデバイスに実質的に複製する手段を具えることを特徴とするシステム。
【請求項９】
請求項１に記載のシステムにおいて、前記通話を実質的に遮断されずに前記第２のデバイスへ転送する手段が更に：前記第２のデバイスへ通話接続を設定し、通話情報を前記第２のデバイスへ実質的に複製する手段を具えることを特徴とするシステム。
【請求項１０】
請求項１に記載のシステムにおいて、前記通話を実質的に遮断されずに前記第２のデバイスへ転送する手段が更に：前記第２のデバイスとの近接性を獲得した結果、自動的に前記通話を転送する手段を具えることを特徴とするシステム。
【請求項１１】
請求項１に記載のシステムにおいて、前記通話を実施的に遮断されずに前記第２のデバイスへ転送する手段が更に：前記第１のデバイスの少なくとも一の制御装置を操作した結果、前記通話を前記第２のデバイスへ転送する手段を具えることを特徴とするシステム。
【請求項１２】
請求項１１に記載のシステムにおいて、前記第１のデバイスの前記制御装置が更に：少なくとも一のボタン、レバー、ダイアル、接触領域、スイッチ、または音声コマンド制御を具えることを特徴とするシステム。
【請求項１３】
請求項１に記載のシステムにおいて、前記通話を実質的に遮断されずに前記第２のデバイスへ転送する手段が更に：前記第２のデバイスの制御装置の操作に応じて前記通話を転送する手段を具えることを特徴とするシステム。
【請求項１４】
請求項１３に記載のシステムにおいて、前記第２のデバイスの制御装置が更に：少なくとも一のボタン、レバー、ダイアル、接触領域、スイッチ、又は音声コマンド制御を具えることを特徴とするシステム。
【請求項１５】
請求項１に記載のシステムにおいて、前記通話を実質的に遮断されずに前記第２のデバイスへ転送する手段が更に：前記第１のデバイスとの通信を徐々に減衰させる手段を具えることを特徴とするシステム。
【請求項１６】
請求項１５に記載のシステムにおいて、前記第１のデバイスとの通信を徐々に減衰させる手段が更に：前記第１のデバイスとの前記通信量を徐々に低減させる手段を具えることを特徴とするシステム。
【請求項１７】
請求項１に記載のシステムにおいて、前記通信を実質的に遮断されずに前記第２のデバイスへ転送する手段が更に：前記通話が行われているネットワークに対して前記第２のデバイスを同定して、前記ネットワークが前記第２のデバイスへの通話を実質的に複製する手段を具えることを特徴とするシステム。
【請求項１８】
請求項１に記載のシステムにおいて、前記通話を実質的に遮断されずに前記第２のデバイスへ転送する手段が更に：前記第２のデバイスへ向けた前記第１のデバイスの動きに応じて前記通話を転送する手段を具えることを特徴とするシステム。
【請求項１９】
請求項１に記載のシステムにおいて、前記通話を実質的に遮断されずに前記第２のデバイスへ転送する手段が更に：前記第２のデバイスへ向けて前記第１のデバイスを方向付けることに応じて前記通話を転送する手段を具えることを特徴とするシステム。
【請求項２０】
請求項１に記載のシステムにおいて、前記通話中の第１の通信デバイスに近接する第２の通信デバイスを検出する手段が更に：前記第１のデバイスがある物理的領域内にあることを検出する手段と、前記第２のデバイスも前記物理的領域内にあることを検出する手段とを具えることを特徴とするシステム。
【請求項２１】
請求項１に記載のシステムにおいて、前記通話中の第１の通信デバイスに近接する第２の通信デバイスを検出する手段が更に：第３の通信デバイスと前記第２の通信デバイスとの間に無線通信を適用する手段を具えることを特徴とするシステム。
【請求項２２】
請求項２１に記載のシステムにおいて、前記第３の通信デバイスと前記第２の通信デバイス間に無線通信を適用する手段が更に：前記第２の通信デバイスと前記第１の通信デバイスのユーザが担持するデバイスとの間にブルートゥース通信を適用する手段を具えることを特徴とするシステム。
【請求項２３】
請求項２２に記載のシステムにおいて、前記第２の通信デバイスと前記第１の通信デバイスのユーザが担持するデバイスとの間にブルートゥース通信を適用する手段が更に：前記第２の通信デバイスと前記第１の通信デバイスのユーザが身につけているメダリオンとの間にブルートゥース通信を適用する手段を具えることを特徴とするシステム。
【請求項２４】
請求項２３に記載のシステムにおいて、前記第１の通信デバイスが更に：携帯電話、無線電話ハンドセット、携帯型情報端末、またはラップトップコンピュータを具えることを特徴とするシステム。
【請求項２５】
請求項２３に記載のシステムにおいて、前記第２の通信デバイスが更に：デスクトップコンピュータ、ラップトップコンピュータ、テレビジョン、または無線電話ハンドセットを具えることを特徴とするシステム。
【請求項２６】
請求項２２に記載のシステムにおいて、前記第１の通信デバイスが更に：携帯電話、無線電話ハンドセット、携帯型情報端末、またはラップトップコンピュータを具えることを特徴とするシステム。
【請求項２７】
請求項２２に記載のシステムにおいて、前記第２の通信デバイスが更に：デスクトップコンピュータ、ラップトップコンピュータ、テレビジョン、または無線電話ハンドセットを具えることを特徴とするシステム。
【請求項２８】
請求項２２に記載のシステムにおいて、前記第１の通信デバイスが更に：ブルートゥースメダリオンを具えることを特徴とするシステム。
【請求項２９】
請求項２１に記載のシステムにおいて、前記第２の通信デバイスが更に：デスクトップコンピュータ、ラップトップコンピュータ、テレビジョン、または無線電話ハンドセットを具えることを特徴とするシステム。
【請求項３０】
請求項１に記載のシステムにおいて、前記通話を実質的に遮断されずに前記第２のデバイスへ転送する手段が更に：前記第２のデバイスとの通信を徐々に強化する手段を具えることを特徴とするシステム。
【請求項３１】
請求項３０に記載のシステムにおいて、前記第２のデバイスとの通信を徐々に強化する手段が更に：前記第２のデバイスとの通信量を徐々に増加する手段を具えることを特徴とするシステム。
【請求項３２】
請求項１に記載のシステムにおいて、前記第１の通信デバイスが更に：携帯電話、無線電話ハンドセット、携帯型情報端末、またはラップトップコンピュータを具えることを特徴とするシステム。
【請求項３３】
請求項１に記載のシステムにおいて、前記第２の通信デバイスが更に：デスクトップコンピュータ、ラップトップコンピュータ、テレビジョン、または無線電話ハンドセットを具えることを特徴とするシステム。
【請求項３４】
請求項１に記載のシステムにおいて、前記第１の通信デバイスが更に：ブルートゥースメダリオンを具えることを特徴とするシステム。
【請求項３５】
請求項１に記載のシステムが更に、前記通話を実質的に遮断されることなく前記第１のデバイスへ返送する手段を具えることを特徴とするシステム。
【請求項３６】
請求項３５に記載のシステムにおいて、前記通話を実質的に遮断されることなく前記第１のデバイスへ返送する手段が更に：前記第２のデバイスから遠ざかる前記第１のデバイスの移動に応じて前記第１のデバイスへの通話を返送する手段を具えることを特徴とするシステム。
【請求項３７】
請求項３５に記載のシステムにおいて、前記通話を実質的に遮断されずに前記第１のデバイスへ返送する手段が更に：前記第１のデバイスの制御装置を操作することに応じて前記第１のデバイスへ前記通話を返送する手段を具えることを特徴とするシステム。
【請求項３８】
請求項３７に記載のシステムにおいて、前記第１のデバイスの制御装置が更に：少なくとも一のボタン、レバー、ダイアル、接触領域、スイッチ、又は音声コマンド制御を具えることを特徴とするシステム。
【請求項３９】
請求項３５に記載のシステムにおいて、前記通話を実質的に遮断することなく前記第１のデバイスへ返送する手段が更に：前記第２のデバイスの制御装置の操作に応じて前記第１のデバイスへ前記通話を返送する手段を具えることを特徴とするシステム。
【請求項４０】
請求項３９に記載のシステムにおいて、前記第２のデバイスの前記制御装置が更に：少なくとも一のボタン、レバー、ダイアル、接触領域、スイッチ、又は音声コマンド制御を具えることを特徴とするシステム。
【請求項４１】
請求項３５に記載のシステムにおいて、前記通話を実質的に遮断することなく前記第１のデバイスへ返送する手段が更に：前記第２のデバイスとの通信を徐々に減衰させる手段を具えることを特徴とするシステム。
【請求項４２】
請求項３５に記載のシステムにおいて、前記通話を実質的に遮断することなく前記第１のデバイスへ返送する手段が更に：前記第１のデバイスとの通信を徐々に強化する手段を具えることを特徴とするシステム。
【請求項４３】
請求項４２に記載のシステムにおいて、前記第１のデバイスとの通信を徐々に強化する手段が：前記第１のデバイスとの通信量を徐々に増加させる手段を具えることを特徴とするシステム。
【請求項４４】
請求項１に記載のシステムが更に：前記第１のデバイスとの通信を終了する手段を具えることを特徴とするシステム。
【請求項４５】
請求項１に記載のシステムが更に：
前記第１のデバイスが第２の通話を受信する手段と；及び
前記第２の通話を前記第２のデバイスへ転送する手段と；
を具えることを特徴とするシステム。
【請求項４６】
請求項１に記載のシステムが更に：前記第２のデバイスにおける前記通話の状態の少なくとも一部を実質的に複製する手段を具えることを特徴とするシステム。
【請求項４７】
請求項１に記載のシステムが更に：中央構内デバイスを通って前記第１及び第２のデバイスへの通信を経路を決定する手段を具えることを特徴とするシステム。
【請求項４８】
請求項１に記載のシステムが更に：前記第１のデバイスを通って前記第２のデバイスへの通信を経路を決定する手段を具えることを特徴とするシステム。
【請求項４９】
請求項１に記載のシステムが更に：前記第２のデバイスと前記第１のデバイスの近接性を検出した結果、前記第１のデバイスが通話中の転送が可能である旨の表示を行う手段を具えることを特徴とするシステム。
【請求項５０】
請求項４９に記載のシステムにおいて、前記第１のデバイスが通話中の転送が可能であるとの表示を行う手段が更に：前記第１のデバイスが、前記第２のデバイスへの通話中の転送が可能であるとの表示を行う手段を具えることを特徴とするシステム。
【請求項５１】
請求項４９に記載のシステムにおいて、前記第１のデバイスが通話中の転送が可能であるとの表示を行う手段が更に：前記第１のデバイスが、タッチスクリーン選択、発光ダイオードの活性化又はその他の視覚的表示、又は、トーンまたはその他の可聴表示のうちの少なくとも一つを提供する手段とを具えることを特徴とするシステム。
【請求項５２】
通信データのデータタイプを検出する手段と；
前記データタイプを示すことができる近接デバイスを同定する手段と；及び
前記データタイプを有する前記通信のデータを前記近接デバイスへ実質的に遮断することなく転送する手段と；
を具えることを特徴とするシステム。
【請求項５３】
請求項５２に記載のシステムにおいて、前記データタイプを有する通信のデータを前記近接デバイスへ実質的に遮断することなく転送する手段が更に：前記データタイプを有していないデータの前記第１のデバイスとの通信を維持する手段と、前記近接デバイスへ前記データタイプを有するデータを転送する手段とを具えることを特徴とするシステム。
【請求項５４】
請求項５２に記載のシステムにおいて、前記通信データのデータタイプが更に：音声、ビデオ、データファイルまたは音楽を具えることを特徴とするシステム。
【請求項５５】
請求項５２に記載のシステムにおいて、前記データタイプを示す手段が更に：画像を表示する手段、ビデオを再生する手段、音または音楽を再生する手段のうち少なくとも一つを具えることを特徴とするシステム。
【請求項５６】
請求項５２に記載のシステムが更に：前記第１のデバイスとの通信を終了する手段を具えることを特徴とするシステム。
【請求項５７】
請求項５２に記載のシステムが更に：前記第２のデバイスにおける前記通話状態の少なくとも一部を実質的に複製する手段を具えることを特徴とするシステム。
【請求項５８】
請求項５２に記載のシステムが更に：中央構内デバイスを介して前記第１および第２のデバイスへの通信の経路を決定する手段を具えることを特徴とするシステム。
【請求項５９】
請求項５２に記載のシステムが更に：前記第１のデバイスを通って前記第２のデバイスへの通信の経路を決定する手段を具えることを特徴とするシステム。
【請求項６０】
請求項５２に記載のシステムが更に：前記第２のデバイスと前記第１のデバイスの近接性を検出した結果、前記第１のデバイスが通話中の転送が可能であること表示する手段を具えることを特徴とするシステム。
【請求項６１】
請求項６０に記載のシステムにおいて、前記第１のデバイスが通話中の転送が可能であることを表示する手段が更に：前記第１のデバイスが前記第２のデバイスへの通話中の転送が可能であるとの表示を行う手段を具えることを特徴とするシステム。
【請求項６２】
請求項６０に記載のシステムにおいて、前記通話中の転送が可能であることを前記第１のデバイスが表示する手段が更に：前記第１のデバイスが、タッチスクリーンの選択、発光ダイオードの活性化、あるいはその他の視覚的表示のうちの少なくとも一つを提供する、あるいは、トーンまたはその他の可聴表示を提供する手段を具えることを特徴とするシステム。
【請求項６３】
第１の通信デバイスにおいて：
前記第１の通信デバイスへ近接した第２の通信デバイスを検出するロジックと；及び
前記第１のデバイスから前記第２のデバイスへの通話を実質的に遮断されることなく転送を開始するロジックと；
を具えることを特徴とする第１の通信デバイス。
【請求項６４】
請求項６３に記載の第１の通信デバイスにおいて、前記第１の通信デバイスが更に：携帯電話、無線電話ハンドセット、携帯型情報端末、またはラップトップコンピュータを具えることを特徴とする第１の通信デバイス。
【請求項６５】
請求項６３に記載の第１の通信デバイスにおいて、前記第２の通信デバイスが更に：デスクトップコンピュータ、ラップトップコンピュータ、テレビジョン、または無線電話ハンドセットを具えることを特徴とする第１の通信デバイス。
【請求項６６】
請求項６３に記載の第１の通信デバイスにおいて、前記第１の通信デバイスが更に：ブルートゥースメダリオンを具えることを特徴とする第１の通信デバイス。
【請求項６７】
通信データに関連するアプリケーションを同定する手段と；
前記アプリケーションを提供可能な近位デバイスを同定する手段と；及び
前記アプリケーションに関連するデータの実質的に遮断されない前記近位デバイスへの転送を提供する手段と；
を具えることを特徴とするシステム。
【請求項６８】
請求項６７に記載のシステムにおいて、前記通信データに関連するアプリケーションを同定する手段が更に：チャットアプリケーション、メッセージアプリケーション、ゲームアプリケーション、ビデオアプリケーション、画像処理アプリケーション、音楽アプリケーション、または音響アプリケーションのうちの少なくとも一つを具えることを特徴とするシステム。
【請求項６９】
請求項６７に記載のシステムが更に：前記第２のデバイスにおける通話の状態の少なくとも一部を実質的に複製する手段を具えることを特徴とするシステム。
【請求項７０】
請求項６７に記載のシステムが更に：中央構内デバイスを介して前記第１及び第２のデバイスへの通信の経路を決定する手段を具えることを特徴とするシステム。
【請求項７１】
請求項６７に記載のシステムが更に：前記第１のデバイスを介して前記第２のデバイスへの通信の経路を決定する手段を具えることを特徴とするシステム。
【請求項７２】
請求項６７に記載のシステムが更に：前記第２のデバイスと前記第１のデバイスの近接性を検出した結果、前記第１のデバイスが通話中の転送が可能であるとの表示を提供する手段を具えることを特徴とするシステム。
【請求項７３】
請求項７２に記載のシステムにおいて、前記第１のデバイスが通話中の転送が可能であるとの表示を行う手段が更に：前記第１のデバイスが前記第２のデバイスへの通話中の転送が可能であるとの表示を提供する手段を具えることを特徴とするシステム。
【請求項７４】
請求項７２に記載のシステムにおいて、前記第１のデバイスが通話中の転送が可能であるとの表示を提供する手段が更に：第１のデバイスが、タッチスクリーンの選択、発光ダイオードの活性化、あるいはその他の視覚的表示のうちの少なくとも一つを提供する、あるいは、音またはその他の可聴表示を提供する手段を具えることを特徴とするシステム。
【請求項７５】
通話中の第１の通信デバイスに近接する第２の通信デバイスを検出するステップと；及  び
前記通話を実質的に遮断することなく前記第２のデバイスへの転送するステップと；
を具えることを特徴とする方法。
【請求項７６】
通信データのデータタイプを検出するステップと；
前記データタイプを示すことができる近接デバイスを同定するステップと；及び
前記データタイプを有する前記通信のデータの実質的に遮断されることなく前記近接デバイスへ転送するステップと；
を具えることを特徴とする方法。
【請求項７７】
通信データに関連するアプリケーションを同定するステップと；
前記アプリケーションを提供可能な近接デバイスを同定するステップと；及び
前記アプリケーションと関連するデータを実質的に遮断されることなく前記近接デバイスへ転送するステップと；
を具えることを特徴とする方法。
【請求項７８】
マシーンメモリにおいて：
通話中の第１の通信デバイスに近接する第２の通信デバイスを検出するロジックと；及び
前記通話を実質的に遮断することなく前記第２のデバイスへの転送するロジックと；
を具えることを特徴とするマシーンメモリ。
【請求項７９】
マシーンメモリにおいて：
通信データのデータタイプを検出するロジックと；
前記データタイプを示すことができる近接デバイスを同定するロジックと；及び
前記データタイプを有する前記通信のデータを実質的に遮断されることなく前記近接デバイスへ転送するロジックと；
を具えることを特徴とするマシーンメモリ。
【請求項８０】
マシーンメモリにおいて：
通信データに関連するアプリケーションを同定するロジックと；
前記アプリケーションを提供可能な近接デバイスを同定するロジックと；及び
前記アプリケーションに関連するデータを実質的に遮断されることなく前記近接デバイスへ転送するロジックと；
を具えることを特徴とするマシーンメモリ。